(57)【要約】【課題】シンクキャビネットにおける本体内のシンク前方に備えられる収納部材において、収納物の出入容易性と収納物の安定保持とを実現する。【解決手段】収納ポケット４０の本体４１に、後面部４１ｄと、収納物Ｘ，Ｘの下端を受ける受け面部４１′と、前方開口４１″とを設ける。そして、収納ポケット本体４１の後面部４１ｄとの間に収納物Ｘ，Ｘの上部を保持する一対の押えバー８０，８０を備える。その場合、押えバー８０，８０を後面部４１ｄ方向に付勢する。【選択図】図６
2008049005.tif 000002
【特許請求の範囲】
【請求項１】
シンクキャビネットにおける本体内のシンク前方に備えられ、左右に延びて収納物を収納する収納部材であって、
少なくとも収納物を支持する受け面と背面とを有し、前記受け面上方が前方に開口する形状とされており、かつ、
前記背面との間に収納物の上部を保持する保持部材が備えられていることを特徴とするシンクキャビネットの収納部材。
【請求項２】
前記請求項１に記載のシンクキャビネットの収納部材において、
前記保持部材は、前記背面に対して可動であると共に背面方向に付勢されていることを特徴とするシンクキャビネットの収納部材。
【請求項３】
前記請求項１または請求項２に記載のシンクキャビネットの収納部材において、
前記保持部材は、左右に複数並設されていることを特徴とするシンクキャビネットの収納部材。
【請求項４】
前記請求項１から請求項３のいずれかに記載のシンクキャビネットの収納部材において、
前記キャビネット本体に固定されていることを特徴とするシンクキャビネットの収納部材。
【請求項５】
前記請求項１から請求項４のいずれかに記載のシンクキャビネットの収納部材において、
前記本体内には、引き出しが引出自在に備えられており、
該引き出しが前記本体内に押し込まれた状態で、前記収納部材の開口は、該引き出しの前板で覆われることを特徴とするシンクキャビネットの収納部材。
【発明の詳細な説明】
【技術分野】
【０００１】
本発明は、キッチンのシンクキャビネットに備えられる収納部材に関し、キッチン家具の技術分野に属する。
【背景技術】
【０００２】
従来、キッチンに設置されるシンクが備え付けられたキャビネットにおいて、本体内のシンク前方の狭い空間を収納空間として有効利用することが考えられている。例えば特許文献１及び特許文献２には、シンク前方に下端部を支点に前方に回転する蓋状部材を設けて、シンク前方に収納空間を形成する技術が開示されている。
【０００３】
また、特許文献３には、図８に示すように、シンクキャビネットＡにおける本体Ａ′内のシンクＢ前方かつ扉Ｃの後方に、収納空間Ｓを有し、本体Ａ′に支持されて左右両側の支軸Ｄ′（一方のみ図示）を支点に矢印ｘ方向に回転する収納部材Ｄを取り付ける構造が開示されている。
【０００４】
そして、特許文献４には、図９に示すように、シンクキャビネットＥにおける本体Ｅ′内のシンクＦ前方に、収納空間Ｓを有し、本体Ｅ′に支持されて下端部左右両側の支軸Ｇ′（一方のみ図示）を支点に上端部が矢印ｘ方向に回転する箱状の収納部材Ｇを取り付ける構造が開示されている。
【０００５】
【特許文献１】実用新案登録第３０７０７４７号公報
【特許文献２】特開２００４−２２９６９９号公報
【特許文献３】実開昭５６−７３３３７号公報
【特許文献４】実開平６−３４０７１号公報
【発明の開示】
【発明が解決しようとする課題】
【０００６】
ところで、前記シンクキャビネットＡ，Ｅでは、収納物の出し入れに際しては、いずれも収納部材Ｄ，Ｇを回転により本体Ａ′，Ｅ′に対して傾斜させる構成であるので、広い開口を確保するのが容易ではなく、収納物の出し入れに不便である。一方、広い開口を確保するためには大きく回転させねばならず、その場合には収納物がいたずらに移動し、収納部材Ｄ，Ｇから脱落したり、収納部材Ｄ，Ｇの回転を阻害したりするという問題がある。特に、収納物が、ゴミ袋、レジ袋、三角コーナ、鍋つかみ、鍋敷き、ふきん等の柔軟で形状あるいは姿勢の安定し難いものである場合に問題は顕著となる。
【０００７】
そこで、本発明は、シンクキャビネットにおける本体内のシンク前方に備えられる収納部材において、収納物の出入容易性と収納物の安定保持とを実現することを課題とする。
【課題を解決するための手段】
【０００８】
前記課題を解決するため、本発明は次のように構成したことを特徴とする。
【０００９】
まず、請求項１に記載の発明は、シンクキャビネットにおける本体内のシンク前方に備えられ、左右に延びて収納物を収納する収納部材であって、少なくとも収納物を支持する受け面と背面とを有し、前記受け面上方が前方に開口する形状とされており、かつ、前記背面との間に収納物の上部を保持する保持部材が備えられていることを特徴とする。
【００１０】
次に、請求項２に記載の発明は、前記請求項１に記載のシンクキャビネットの収納部材において、前記保持部材は、前記背面に対して可動であると共に背面方向に付勢されていることを特徴とする。
【００１１】
また、請求項３に記載の発明は、前記請求項１または請求項２に記載のシンクキャビネットの収納部材において、前記保持部材は、左右に複数並設されていることを特徴とする。
【００１２】
また、請求項４に記載の発明は、前記請求項１から請求項３のいずれかに記載のシンクキャビネットの収納部材において、前記キャビネット本体に固定されていることを特徴とする。この場合の収納部材は、キャビネット本体に固定した状態で使用されるもので、取り外し可能に備えられる構成のものも含まれる。
【００１３】
そして、請求項５に記載の発明は、前記請求項１から請求項４のいずれかに記載のシンクキャビネットの収納部材において、前記本体内には、引き出しが引出自在に備えられており、該引き出しが前記本体内に押し込まれた状態で、前記収納部材の開口は、該引き出しの前板で覆われることを特徴とする。
【発明の効果】
【００１４】
まず、請求項１に記載の発明によれば、ポケット状の収納部材に保持部材を備えたので、収納部材の受け面を浅くして前方開口を広く設定しても収納物を保持することができる。すなわち、収納物の出入容易性と収納物の安定保持とを実現することができる。特に、ゴミ袋、レジ袋、三角コーナ、鍋つかみ、鍋敷き、ふきん等の柔軟で形状あるいは姿勢の安定し難い収納物の場合に好適である。
【００１５】
次に、請求項２に記載の発明によれば、保持部材は背面に対して可動であるので、収納物の形状に応じて好ましく保持可能となり、また、移動させることにより収納物の出し入れは一層容易になる。しかも、保持部材は背面方向に付勢されているので、収納物の保持は一層安定する。
【００１６】
また、請求項３に記載の発明によれば、保持部材を左右に複数並設しているので、例えば収納物を分類して保持することができ、利便性が増すようになる。
【００１７】
また、請求項４に記載の発明によれば、収納部材はキャビネット本体に固定されて用いられるので、従来のように出し入れ時に回転されることはない。したがって、収納物の移動は抑制され、収納物の安定保持は一層助長される。
【００１８】
そして、請求項５に記載の発明によれば、引き出しを引き出すと本体前面は広く開放されるので、収納部材における収納物の出し入れは一層容易になる。一方、引き出しを本体内に押し込んだ状態で収納部材の開口は引き出しの前板で覆われるので、収納部材や収納物の露出を極力抑えることができ、見栄えがよく、外観的に一体感を備えたシンクキャビネットが実現される。
【発明を実施するための最良の形態】
【００１９】
本発明の実施の形態について説明する。
【００２０】
図１及び図２に示すように、本実施の形態に係るシンクキャビネット１は、上面及び前面が開放された本体２を有し、この本体２の上面をワークトップ３で覆うようになっている。そして、ワークトップ３にはシンク３′が設けられており、このシンク３′には、図示しない排水管が接続されている。
【００２１】
キャビネット本体２は、左右一対の側板１１，１１と、その間で右側側板１１寄りに配置された中仕切板１２と、左右側板１１，１１の後端部間に架設された背板１３と、同じく下端部間に架設された前後一対の底桟１４，１４と、同じく下部後方の切欠部１１′，１１′（一方のみ図示）近傍間に架設された後桟１５とを有している。そして、本体２内の中仕切板１２を境にして左右に、上段及び下段引き出し１６，１７，１８，１９がレール機構２０…２０を介して矢印ａ方向に引出自在に収納されている。
【００２２】
左側の引き出し１６，１７について説明すると、まず、上段引き出し１６は、引き出し側レール部材を兼ねる左右一対の側壁２１，２１（一方のみ図示）と、側壁２１，２１の下端部間に架設された底板２２と、同じく前端部間に架設された前板２３と、同じく後端部間に架設された背板２４とを有し、前板２３と背板２４との間に左右一対の棒状部材２５，２５（一方のみ図示）が架設されている。そして、前板２３の上部に取っ手２６が取り付けられている。
【００２３】
また、下段引き出し１７は、引き出し側レール部材を兼ねる左右一対の側壁３１，３１（一方のみ図示）と、側壁３１，３１の下端部間に架設された底板３２と、同じく前端部間に上下に分割して架設された前板３３ａ，３３ｂと、同じく後端部間に架設された背板３４とを有し、上側前板３３ａと背板３４との間に左右一対の棒状部材３５，３５（一方のみ図示）が架設されている。その場合、下側前板３３ｂは蹴込み部に位置し、上側前板３３ａに対して若干後退して設けられている。
【００２４】
なお、右側の上段及び下段引き出し１８，１９は、幅寸法を除いて前述した左側の上段及び下段引き出し１６，１７と略同様の構成であるので、説明を省略する。
【００２５】
そして、キャビネット本体２における中仕切板１２より左側部分に、収納物を収納する幅広の収納ポケット４０が、本体２のシンク３′前方の左右両内面つまり左側側板１１及び中仕切板１２の対向面に固定された一対の支持具５０，５０に支持されて取り付けられている。
【００２６】
図３に示すように、収納ポケット４０の本体４１は、長尺の押出樹脂成形品を所定長さに切断したものであり、下方の底部４１ａと、上方の頭部４１ｂと、底部４１ａから起立する前方の前面部４１ｃと、底部４１ａと頭部４１ｂとを後方で連結する後面部４１ｄとを有している。そして、底部４１ａと前面部４１ｃと後面部４１ｄ下部とによる収納物の下端部を受ける受け面部４１′と、この受け面部４１′上方の前方開口４１″と、収納物を収納する収納空間Ｓとが形成されている。この場合、収納空間Ｓに、例えばゴミ袋、レジ袋、三角コーナ、鍋つかみ、鍋敷き、ふきん等、比較的薄手の収納物を収納することができる。
【００２７】
さらに、頭部４１ｂには、凹部４１ｂ′が、また、底部４１ａ及び頭部４１ｂには、左右に貫通する符号を省略した空洞が設けられている。そして、取付状態において、頭部４１ｂ上端は、ワークトップ３で覆われるキャビネット本体２上面に略面一とされ、頭部４１ｂ前面及び前面部４１ｃは、キャビネット本体２前面に略面一とされている。
【００２８】
また、後面部４１ｄの左右両端部の比較的下部には、それぞれ金属製のフック部材４２，４２（一方のみ図示）がネジ４３…４３で固定されている。このフック部材４２は、後方になるほど斜め上方に延びる上下のフック部４２ａ，４２ｂを有しており、上側フック部４２ａには、貫通孔４２ａ′が設けられている。
【００２９】
また、収納ポケット本体４１の前方開口４１″は、上側引き出し１６の上下に延びて収納ポケット本体４１の頭部４１ｂ下部に達する前板２３で覆われるように構成されている。さらに、収納ポケット本体４１の頭部４１ｂ下部やキャビネット本体２の側板１１の前方端面等の箇所に、樹脂製の防虫パッキン４４，４４が両面粘着テープ等の適宜の手段により貼付されている。
【００３０】
一方、一対の支持具５０，５０は金属製であり、左側側板１１内面の上部箇所に固定された支持具５０は、側板１１に固定するための取付部材５１と、前記収納ポケット４０に対面する本体５２とを有している。また、取付部材５１は、ネジ５３，５３で側板１１に固定され、取付部材５１と本体５２とは、別なるネジ５４で一体化されている。なお、中仕切板１２に固定された支持具５０についても事情は同様であるので、説明を省略する。
【００３１】
支持具本体５２は、上部に前記フック部材４２の上側フック部４２ａを挿入可能に、後方になるほど斜め上方に延びる溝部５２ａと、下端部に同じく下側フック部４２ｂに上方から係合可能に、後方になるほど斜め上方に傾斜する係合面部５２ｂとを有している。
【００３２】
また、支持具本体５２は、下端部を支点に矢印ｂ，ｂ′方向に揺動する概ね上下に延びるレバー部５２ｃを内装しており、このレバー部５２ｃの略中間部には、前記上側フック部４２ａの貫通孔４２ａ′に出没可能なロック部５２ｃ′が突設されている。その場合、レバー部５２ｃ上部は、支持具本体５２内に備えられた図示しない板バネにより常時矢印ｂ′方向に付勢されている。
【００３３】
したがって、レバー部５２ｃを板バネの付勢力に抗して矢印ｂ方向に操作すれば、拡大断面図にて二点鎖線で示すようにロック部５２ｃ′を上側フック部４２ａの貫通孔４２ａ′から退避させ、収納ポケット４０と支持具５０とのロック状態を解除することができ、一方、レバー部５２ｃを板バネの付勢力にしたがって矢印ｂ′方向に戻せば、同じく拡大断面図にて実線で示すようにロック部５２ｃ′を上側フック部４２ａの貫通孔４２ａ′に進出させ、収納ポケット４０と支持具５０とをロック状態にすることができる。
【００３４】
また、左側側板１１内面の上部箇所に、いずれも円柱状の上方の第１係合部材６１と下方の第２係合部材６２とが突設されている。第１係合部材６１は、取付状態の収納ポケット４０における凹部４１ｂ′に嵌り込む位置関係で、一方、第２係合部材６２は、同じく収納ポケット４０における後面部４１ｄの上部に背後から当接する位置関係で設けられている。なお、中仕切板１２にも第１係合部材６１と第２係合部材６２とが突設されているが、事情は同様であるので、説明を省略する。
【００３５】
そして、図１及び図３に示すように、収納ポケット４０の頭部４１ｂ直下の左右両端部及び中間部に、それぞれ箱状に組み付けられた固定具７０…７０が固定されており、隣接する一対の固定具７０，７０間に、それぞれ押えバー８０が取り付けられている。
【００３６】
図４及び図５に示すように、固定具７０は、内側の第１固定部材７１と外側の第２固定部材７２とを有している。第１固定部材７１は、ネジ７３で収納ポケット４０における本体４１の後面部４１ｄに固定されており、また、第１固定部材７１と第２固定部材７２とは、別なるネジ７４，７４で一体化されている。
【００３７】
押えバー８０は、金属製丸棒を図例の形状に折曲したもので、左右に延びる押え部８０ａと、押え部８０ａの両端部から上方に延びる連結部８０ｂ，８０ｂと、連結部８０ｂ，８０ｂから幅方向に延びる取付部８０ｃ，８０ｃとを有し、取付部８０ｃ，８０ｃの先端部は、前記固定具７０，７０内に側方から矢印ｃ，ｃ′で示すように回転可能に挿入されている。
【００３８】
固定具７０内に挿入された取付部８０ｃには、バネ８１が外装されており、バネ８１の長く延びた一方の端部８１ａは、固定具７０の第２固定部材７２の前面部に常時当接し、他方の端部８１ｂは、押えバー８０の取付部８０ｃ端部に設けられた割り溝８０ｃ′に差し込んで係止されている。また、押えバー８０の取付部８０ｃにおけるバネ８１の端部８１ｂより先端側の周面に溝が設けられており、この溝に前記取付部８０ｃからのバネ８１の抜け落ちを防止するＥリング８２が嵌め込まれている。
【００３９】
これにより、押えバー８０の押え部８０ａは、バネ８１により収納ポケット本体４１の後面部４１ｄ方向つまり矢印ｃ方向に常時付勢されて、収納物Ｘを後面部４１ｄとの間に挟み付けることができる。一方、バネ８１による付勢力に抗して、押えバー８０の押え部８０ａを矢印ｃ′方向に取付部８０ｃを支点に回転させて二点鎖線で示す状態にすれば、収納物Ｘを解放することができ、また、収納物Ｘの出し入れが容易になる。
【００４０】
さらに、収納ポケット本体４１の後面部４１ｄ方向に付勢された状態の押えバー８０における押え部８０ａの幅方向中央に対応する位置関係で、後面部４１ｄに樹脂製のクッション部材８３が突設されている。これにより、金属製の押えバー８０の押え部８０ａが樹脂製の収納ポケット本体４１の後面部４１ｄに直接当接する場合に比較して衝撃が吸収される。したがって、収納ポケット本体４１の耐久性が維持され、また、騒音の発生が抑制される。
【００４１】
以上のように構成したことにより、図３及び図６に示すように、収納ポケット４０に押えバー８０，８０を備えたので、収納ポケット本体４１の受け面部４１′を浅くして前方開口４１″を広く設定しても、収納物Ｘ，Ｘを保持することができる。すなわち、収納物Ｘ，Ｘの出入容易性と収納物Ｘ，Ｘの安定保持とが実現される。特に、ゴミ袋、レジ袋、三角コーナ、鍋つかみ、鍋敷き、ふきん等の柔軟で形状あるいは姿勢の安定し難い収納物Ｘの場合に好適である。
【００４２】
また、図５〜図７に示すように、固定具７０に支持された押えバー８０の押え部８０ａは収納ポケット４０における本体４１の後面部４１ｄに対して矢印ｃ，ｃ′方向に可動であるので、収納物Ｘの形状に応じて好ましく保持可能となり、また、二点鎖線（図５参照）で示すように移動させることにより収納物Ｘの出し入れは一層容易になる。しかも、押えバー８０はバネ８１により後面部４１ｄ方向つまり矢印ｃ方向に付勢されているので、収納物Ｘの保持は一層安定する。
【００４３】
また、図６に示すように、キャビネット本体２における左側側板１１及び中仕切板１２間に押えバー８０，８０を左右に２つ並設しているので、例えば収納物Ｘ，Ｘを分類して保持することができ、利便性が増すようになる。
【００４４】
また、図３に示したように、収納ポケット４０は支持具５０，５０を介してキャビネット本体２に固定されて用いられるので、従来のように出し入れ時に回転されることはない。したがって、収納物Ｘの移動は抑制され、収納物Ｘ，Ｘの安定保持は一層助長される。
【００４５】
さらに、図３から明らかなように、上側引き出し１６を引き出すとキャビネット本体２前面つまり収納ポケット４０前方は広く開放されるので、収納ポケット４０における収納物Ｘの出し入れは一層容易になる。一方、図３に示したように、上側引き出し１６をキャビネット本体２内に押し込んだ状態で収納ポケット４０の開口４１″は上側引き出し１６の前板２３で覆われるので、収納ポケット４０や収納物Ｘの露出を極力抑えることができ、見栄えがよく、外観的に一体感を備えたシンクキャビネット１が実現される。
【００４６】
なお、本発明は、具体的に詳述した前記実施の形態に限定されることはなく、本発明の趣旨に沿うものであればよい。
【００４７】
例えば、前記実施の形態では、押えバー８０，８０を２つ備えたが、収納ポケット４０の幅寸法や収納物Ｘに応じて、１つでもよいし、３つ以上でもよい。
【００４８】
また、前記実施の形態では、押えバー８０の衝撃吸収のため、収納ポケット本体４１の後面部４１ｄにクッション部材８３を設けたが、これに代えて、押えバー８０の少なくとも押え部８０ａに樹脂製のクッション部材を被覆してもよく、この場合にも前記クッション部材８３を設けたのと同様の作用効果が得られる。
【００４９】
そして、前記実施の形態では、バネ８１の付勢力を利用して押えバー８０を可動式に設けたが、収納ポケット本体４１の後面部４１ｄに対して固定的に設けてもよい。その場合には、構成の簡素化が図られる。
【産業上の利用可能性】
【００５０】
以上説明したように、本発明によれば、シンクキャビネットにおける本体内のシンク前方に備えられる収納部材において、収納物の出入容易性を担保しつつ収納物の安定保持を実現することができる。すなわち、本発明は、キッチン家具の技術分野に広く好適である。
【図面の簡単な説明】
【００５１】
【図１】本発明の実施の形態に係るシンクキャビネットの一部を破断した正面図である。
【図２】図１のＩＩ−ＩＩ線による拡大断面図である。
【図３】収納ポケットの取付構造を示す断面図である。
【図４】押えバーの構造を示す正面図である。
【図５】図４のＩＩＩ−ＩＩＩ線による拡大断面図である。
【図６】押えバーによる収納物の保持状態を示す正面図である。
【図７】図６のＩＶ−ＩＶ線による拡大断面図である。
【図８】従来の収納部材の取付構造を示す断面図である。
【図９】従来の別なる収納部材の取付構造を示す断面図である。
【符号の説明】
【００５２】
１          シンクキャビネット
２          キャビネット本体（本体）
３′        シンク
１６        上側引き出し（引き出し）
２３        前板
４０        収納ポケット（収納部材）
４１′      受け面部（受け面）
４１″      前方開口
４１ｄ      後面部（背面）
８０        押えバー（保持部材）
Ｘ          収納物
【図１】
2008049005.tif 000003
【図２】
2008049005.tif 000004
【図３】
2008049005.tif 000005
【図４】
2008049005.tif 000006
【図５】
2008049005.tif 000007
【図６】
2008049005.tif 000008
【図７】
2008049005.tif 000009
【図８】
2008049005.tif 000010
【図９】
2008049005.tif 000011